(57)【要約】高温プラズマ内の低磁場およびヌル磁場の非摂動測定を促進する、システムおよび方法。本明細書に提供される種々の実施形態は、概して、高温プラズマ内の低磁場およびヌル磁場の非摂動測定を促進する、システムおよび方法を対象とする。ＦＲＣおよび磁気カスプ磁場構成を含む、高温プラズマ内の低磁場を測定するための例示的診断技法が、本明細書に提示される。本非摂動技法は、反転磁場、磁場振幅、空間プロファイル、および方向だけではなく、また、ゼロ磁場（ヌル）位置およびその形状を測定可能である。磁場のリアルタイム測定は、ＦＲＣ位置および不安定性の能動的フィードバック制御のために使用されることができる。
2019519892.tif 000002
【特許請求の範囲】
【請求項１】
高温プラズマ内の磁場を測定する非摂動方法であって、
第１の複数のレーザビームをＦＲＣプラズマの中に半径方向に注入することであって、前記レーザビームはそれぞれ、異なる偏光を有する、ことと、
２つの場所において、前記ＦＲＣプラズマのＦＲＣ磁場内のヌル場所と交差させることと、
前記第１の複数のレーザビームの経路をＣＣＤの垂直方向において撮像することと、
複屈折結晶を使用して、直交偏光にさらに分裂されるように前記垂直方向における光を分裂させることと、
前記ＦＲＣ磁場のヌル場所を測定することと
を含む、方法。
【請求項２】
レーザビームを前記ＦＲＣ磁場の中に軸方向に注入することと、
前記ＦＲＣ磁場の２つのＸ点のそれぞれを照明することと、
前記２つのＸ点間の距離を測定し、前記ＦＲＣ磁場の長さを生み出すことと
をさらに含む、請求項１に記載の方法。
【請求項３】
第２の複数のレーザを前記ＦＲＣ磁場の中に半径方向に注入することと、
前記ＦＲＣ磁場の２つのＸ点のそれぞれを照明することと、
前記２つのＸ点間の距離を測定し、前記ＦＲＣ磁場の長さを生み出すことと
をさらに含む、請求項１に記載の方法。
【請求項４】
前記ＦＲＣ磁場のヌル場所の場所を前記ＦＲＣプラズマの直径に沿った２つの点に提供することと、
前記ヌル場所の場所を使用して、前記ＦＲＣプラズマの半径および中心を計算することと、
前記半径および中心をフィードバック制御システムに提供することと
をさらに含む、請求項１に記載の方法。
【請求項５】
前記フィードバック制御システムは、外部から印加される磁場を制御することによって、前記ＦＲＣプラズマの半径方向の場所およびサイズを制御する、請求項４に記載の方法。
【請求項６】
高温プラズマ内の磁場を測定する非摂動方法であって、
ＣＣＤの水平軸方向に沿ってＦＲＣプラズマの波長を撮像することと、
前記ＣＣＤの垂直軸方向に沿って前記ＦＲＣプラズマの半径方向の範囲を撮像することと、
複屈折結晶を使用して、前記垂直方向における光を直交偏光に分裂させることと、
前記ＦＲＣプラズマのＦＲＣ磁場のヌル場所を測定することと
を含む、方法。
【請求項７】
第１の分光偏光計のスリットを前記ＦＲＣプラズマの軸方向に向かって整列させることと、
前記ＦＲＣ磁場の第１のＸ点の場所を測定することと、
をさらに含む、請求項６に記載の方法。
【請求項８】
同時に、第２の分光偏光計のスリットを前記ＦＲＣプラズマの軸方向に向かって整列させることと、
前記ＦＲＣ磁場の第２のＸ点の場所を測定することと、
前記第１のＸ点と前記第２のＸ点との間の距離を測定し、前記ＦＲＣ磁場の長さを生み出すことと
をさらに含む、請求項６に記載の方法。
【請求項９】
前記ＦＲＣ磁場のヌル場所の場所を前記ＦＲＣプラズマの直径に沿った２つの点に提供することと、
前記ヌル場所の場所を使用して、前記ＦＲＣプラズマの半径および中心を計算することと、
前記半径および中心をフィードバック制御システムに提供することと
をさらに含む、請求項６に記載の方法。
【請求項１０】
前記フィードバック制御システムは、外部から印加される磁場を制御することによって、前記ＦＲＣプラズマの半径方向の場所およびサイズを制御する、請求項９に記載の方法。
【請求項１１】
高温プラズマ内の磁場の非摂動測定のための分光偏光計であって、
分光計と、
高速撮像ＣＣＤカメラと、
３つのレーザビームと、
複屈折結晶と
を備える、分光偏光計。
【請求項１２】
前記３つのレーザビームは、異なる偏光、類似波長を有し、相互から小距離だけ分離される、請求項１１に記載の分光偏光計。
【請求項１３】
前記３つのレーザビームを撮像するための３つのスリットをさらに備える、請求項１１に記載の分光偏光計。
【請求項１４】
前記３つのレーザビームをＦＲＣプラズマの中に半径方向に注入することと、
２つの場所において、前記ＦＲＣプラズマのＦＲＣ磁場内のヌル場所と交差させることと、
前記第１の複数のレーザビームの経路をＣＣＤの垂直方向において撮像することと、
前記複屈折結晶を使用して、直交偏光にさらに分裂されるように前記垂直方向における光を分裂させることと、
前記ＣＣＤを使用して、前記ＦＲＣ磁場のヌル場所を測定することと
を行うように構成される、請求項１２に記載の分光偏光計。
【請求項１５】
レーザビームを前記ＦＲＣ磁場の中に軸方向に注入することと、
前記ＦＲＣ磁場の２つのＸ点のそれぞれを照明することと、
前記２つのＸ点間の距離を測定し、前記ＦＲＣ磁場の長さを生み出すことと
を行うようにさらに構成される、請求項１４に記載の分光偏光計。
【請求項１６】
第２の複数のレーザを前記ＦＲＣ磁場の中に半径方向に注入することと、
前記ＦＲＣ磁場の２つのＸ点のそれぞれを照明することと、
前記２つのＸ点間の距離を測定し、前記ＦＲＣ磁場の長さを生み出すことと
を行うようにさらに構成される、請求項１４に記載の分光偏光計。
【請求項１７】
前記ＣＣＤの水平軸方向に沿って、ＦＲＣプラズマの波長を撮像することと、
前記ＣＣＤの垂直軸方向に沿って、前記ＦＲＣプラズマの半径方向の範囲を撮像することと、
前記複屈折結晶を使用して、垂直方向における光を直交偏光に分裂させることと、
前記ＣＣＤを使用して、前記ＦＲＣプラズマのＦＲＣ磁場のヌル場所を測定することと
を行うように構成される、請求項１１に記載の分光偏光計。
【請求項１８】
前記ＦＲＣ磁場のヌル場所の場所を前記ＦＲＣプラズマの直径に沿った２つの点に提供することと、
前記ヌル場所の場所を使用して、前記ＦＲＣプラズマの半径および中心を計算することと、
前記半径および中心をフィードバック制御システムに提供することと
を行うようにさらに構成される、請求項１７に記載の分光偏光計。
【請求項１９】
前記フィードバック制御システムは、外部から印加される磁場を制御することによって、前記ＦＲＣプラズマの半径方向の場所およびサイズを制御する、請求項１８に記載の分光偏光計。
【請求項２０】
高温プラズマ内の磁場の非摂動測定のためのシステムであって、
第１の分光偏光計および第２の分光偏光計を備え、
前記第１の分光偏光計は、
前記第１の分光偏光計のスリットを前記ＦＲＣプラズマの軸方向に向かって整列させることと、
前記ＦＲＣ磁場の第１のＸ点の場所を測定することと
を行うように構成され、
前記第２の分光偏光計は、
同時に、前記第２の分光偏光計のスリットを前記ＦＲＣプラズマの軸方向に向かって整列させることと、
前記ＦＲＣ磁場の第２のＸ点の場所を測定することと、
前記第１のＸ点と前記第２のＸ点との間の距離を測定し、前記ＦＲＣ磁場の長さを生み出すことと
を行うように構成される、システム。
【発明の詳細な説明】
【技術分野】
【０００１】
本明細書に説明される主題は、概して、磁気診断に関し、より具体的には、高温プラズマ内の低磁場およびヌル（ｎｕｌｌ）磁場の非摂動測定を促進する、システムおよび方法に関する。
【背景技術】
【０００２】
高温プラズマは、核融合、故に、融合エネルギー（１００ｅＶ、すなわち、１００万度を上回るイオン温度として定義される、高温、典型的には、非常に高温（例えば、星および核融合炉内）および／または低圧（例えば、高層大気および蛍光灯内）で、多かれ少なかれ全体的電荷をもたらさない割合において、正のイオン、自由電子、および中性子から成る、イオン化されたガスとして定義される、プラズマ）の発生を達成するために不可欠である。高温は、材料自体を損傷させてプラズマの品質（温度自体を含む）を著しく劣化させることなしに、そのようなプラズマを閉じ込めたりまたはさらに探査したりするための、人工または天然の任意の固体材料の物理的接触を妨げる。高温プラズマは、典型的には、外部磁場コイルとプラズマ内を流動する電流の組み合わせによって生成される磁場構成を使用して、閉じ込められる。磁気閉じ込めは、高温プラズマを壁から離して保つ。これは、融合品質の高温プラズマの汚染および劣化を最小限にするために不可欠である。プラズマ内を流動する電流は、磁場を発生させ、故に、プラズマの内側の正味磁場振幅および方向は、プラズマを伴わない磁場（真空場として知られる、外部コイルのみに起因する）と実質的に異なり得る。融合グレードの高温プラズマ内の内部磁場の測定は、プラズマ閉じ込めおよび品質についての貴重な情報を提供するだけではなく、また、能動的フィードバック制御のための入力として使用され、プラズマ位置および不安定性の制御のための外場コイルによって発生された磁場を迅速に調節することができる。
【０００３】
高温はまた、プラズマの中への任意の固体プローブの挿入が、プローブが損傷される結果だけではなく、また、プラズマも劣化させるであろうため、プラズマの内側を実験的に診断する（例えば、局所磁場の測定）際に課題を呈する。これらのプラズマにおける診断は、非摂動的である必要がある。その結果、プラズマ自体によって放出されるかまたはプラズマ（例えば、レーザ）内に注入されるかのいずれかである光の性質の変化に基づく診断技法が、実験プラズマ物理学において一般的である。
【０００４】
強度ベータ（β）は、典型的には、プラズマ物理学では、磁気圧力に対するプラズマ熱圧力の比として定義され、温度および磁場に起因する、力の平衡を表す。トカマク型およびヘリカル型のような低ベータ（β約０．１）高温プラズマデバイスは、高磁場（約１０４ガウス）で動作する。これらのデバイスでは、内部磁場は、典型的には、約１キロガウスまたはより高く、故に、例えば、ゼーマン効果、ファラデー回転、モーショナルシュタルク効果、および同等物の物理学原理に基づく診断方法が、使用される。これらの診断に関して、信号は、磁場強度に比例し、故に、低場と比較して、高場を測定することの方がより容易である。
【０００５】
融合プラズマのための別の一般的アプローチは、高ベータプラズマの使用であって、磁気圧力に対するプラズマ圧力の比は、１に近く（β約１）、例えば、磁場反転構成（ＦＲＣ）プラズマおよび磁気カスププラズマである。高ベータプラズマ構成では、磁場強度は、低く（約数百ガウス）、プラズマの内側では、ゼロになる。故に、そのような低ベータプラズマに関して、前述の診断方法は、限定された情報を提供する、または全く情報を提供しない。一部の研究者は、これらの診断技法の物理学および技術の限界の打破を提案しているが、限定された成功のみ収めている。高ベータ高温プラズマ内のヌル場所、磁場反転、または低磁場を測定するための信頼性があって、かつ証明されたシステムおよび方法は、依然として、存在しない。
【０００６】
高ベータプラズマは、磁場の実質的に低減された要件に起因して、融合に対する経済的に魅力的なアプローチを提供する。高温の高度なビーム駆動式ＦＲＣプラズマ（例えば、第ＷＯ２０１３／０７４６６６号および第ＷＯ２０１５／０４８０９２号参照）の最近の躍進および出現は、本アプローチをさらに魅力的なものにしている。ここでもまた、融合パラメータに拡張可能なＦＲＣプラズマ（および他の高ベータプラズマ）のための内部磁場診断の必要があることを再度強調されたい。
【０００７】
したがって、高温プラズマ内の低磁場およびヌル磁場の非摂動測定を促進する、システムおよび方法を提供することが望ましい。
【先行技術文献】
【特許文献】
【０００８】
【特許文献１】国際公開第２０１３／０７４６６６号
【特許文献２】国際公開第２０１５／０４８０９２号
【発明の概要】
【課題を解決するための手段】
【０００９】
本明細書に提供される種々の実施形態は、概して、高温プラズマ内の低磁場およびヌル磁場の非摂動測定を促進する、システムおよび方法を対象とする。ＦＲＣおよび磁気カスプ磁場構成を含む、高温プラズマ内の低磁場を測定するための例示的診断技法が、本明細書に提示される。本非摂動技法は、反転磁場、磁場振幅、空間プロファイル、および方向だけではなく、また、ゼロ磁場（ヌル）位置およびその形状を測定可能である。磁場のリアルタイム測定は、ＦＲＣ位置および不安定性の能動的フィードバック制御のために使用されることができる。
【００１０】
例示的実施形態の他のシステム、方法、特徴、および利点は、以下の図および発明を実施するための形態の検討に応じて、当業者に明白である、または明白となるであろう。
【図面の簡単な説明】
【００１１】
構造および動作を含む、例示的実施形態の詳細は、同様の参照番号が同様の部品を指す、付随の図の検討によって部分的に得られ得る。図中の構成要素は、必ずしも、正確な縮尺ではなく、代わりに、本開示の原理の例証に強調が置かれる。さらに、全ての例証は、概念を伝達するために意図され、相対的サイズ、形状、および他の詳細な属性は、文字通りまたは精密にではなく、図式的に図示され得る。
【００１２】
【図１Ａ】図１Ａは、ＦＲＣ軸方向磁場Ｂｚの軸方向ビューを図示する。
【００１３】
【図１Ｂ】図１Ｂは、ＦＲＣ磁場構成のための理論的軸方向磁場Ｂｚプロファイルを図示する。
【００１４】
【図２】図２は、外部から照明された光源を伴う、ＦＲＣ軸方向磁場Ｂｚの軸方向ビューを図示する。
【００１５】
【図３】図３は、自己照明を用いた、ＦＲＣ軸方向磁場Ｂｚの軸方向ビューを図示する。
【００１６】
【図４】図４は、場軸方向ＦＲＣプラズマに沿ったアンル効果に起因する、例示的偏光割合を図示する。
【００１７】
【図５】図５は、外部照明を用いた、軸方向磁場Ｂｚの例示的半径方向ビューを図示する。
【００１８】
【図６】図６は、自己照明を用いた、軸方向磁場Ｂｚの例示的半径方向ビューを図示する。
【００１９】
【図７】図７は、半径方向ビューを用いて例示的偏光割合を図示する。
【００２０】
【図８】図８は、本開示の実施形態と併用するための例示的測定システム概略図を図示する。
【００２１】
【図９】図９は、本開示の実施形態による、磁場の変化に伴う、測定および理論的ストークスベクトル信号（ＱおよびＵ）の比較を図示する。
【００２２】
【図１０】図１０は、本開示の外部照明実施形態による、分光偏光計を備える、システムを図示する。
【００２３】
【図１１】図１１は、本開示の自己照明実施形態による、分光偏光計を備える、システムを図示する。
【００２４】
類似構造または機能の要素は、概して、図全体を通して、例証目的のために同様の参照番号によって表されることに留意されたい。また、図は、好ましい実施形態の説明を促進するためだけに意図されることに留意されたい。
【発明を実施するための形態】
【００２５】
以下に開示される付加的な特徴および教示はそれぞれ、別個に、または高温プラズマ内の低磁場およびヌル磁場の非摂動測定を促進するシステムおよび方法を提供する、他の特徴および教示と併せて、利用されることができる。本明細書に説明される実施形態の代表的実施例が、ここで、添付の図面を参照してさらに詳細に説明され、その実施例は、別個および組み合わせの両方において、これらの付加的な特徴および教示の多くを利用する。本発明を実施するための形態は、単に、当業者に、本教示の好ましい側面を実践するためのさらなる詳細を教示することを意図し、本発明の範囲を限定することを意図するものではない。したがって、以下の発明を実施するための形態に開示される特徴およびステップの組み合わせは、最も広義には、本発明を実践するために必要ではなくてもよく、代わりに、本教示の代表的実施例を特に説明するためだけに教示される。
【００２６】
さらに、代表的実施例および従属請求項の種々の特徴は、本教示の付加的な有用な実施形態を提供するために、具体的かつ明示的に列挙されない方法で組み合わせられてもよい。加えて、説明および／または請求項に開示される全ての特徴は、本来の開示の目的のために、そして実施形態および／または請求項における特徴の複合物から独立して請求される主題を制限する目的のために、相互から別個かつ独立して開示されることが意図されることに明確に留意されたい。また、全ての値範囲またはエンティティの群の指示は、本来の開示の目的のために、そして請求される主題を制限する目的のために、あらゆる可能性として考えられる中間値または中間エンティティを開示することにも明確に留意されたい。
【００２７】
本明細書に提供される種々の実施形態は、概して、高温プラズマ内の低磁場およびヌル磁場の非摂動測定を促進する、システムおよび方法を対象とする。ＦＲＣプラズマおよび磁気カスププラズマを含む、高温実験室プラズマ内の低磁場を測定するための例示的診断技法が、本明細書に提示される。本非摂動技法は、磁場振幅、空間プロファイル、および方向だけではなく、また、ゼロ磁場（ヌル）位置およびその形状も測定可能である。
【００２８】
アンル効果として知られる、物理学現象は、磁場の存在下の散乱共鳴線放射の線形偏光における修正を説明する。原子から散乱された入射線放射（全角運動量Ｊ＝１は、より高い準位であって、Ｊ＝０は、より低い準位である）は、磁場の不在下では、線形に偏光される（例えば、入射角度と垂直に見ると）。しかしながら、磁場の印加を用いることで、散乱光は、主に、脱偏光される。
【００２９】
量子物理学的観点から、アンル効果は、ゼロ磁場における準位交差現象の特殊な場合である。縮退したサブ準位から放出される放射は、コヒーレントであって、１つの方向に破壊的に干渉し、線形に偏光される光を与える。磁場の印加を用いることで、縮退は、その自然幅を上回る量のゼーマンサブ準位の分離によってリフトされ、これは、散乱された光の脱偏光につながり得る。
【００３０】
磁気的に閉じ込められたプラズマ、例えば、ＦＲＣプラズマまたはカスププラズマ内の偏光アンル信号の存在自体が、略ゼロ磁場またはヌル位置の存在を示唆し得る。空間的に分解された測定、例えば、撮像または多弦図を用いることで、ヌルの半径方向の場所およびその形状が、磁場プロファイルとともに、取得され得る。ストークスベクトルの２−Ｄ撮像は、空間分解能を伴う全偏光詳細を有するように展開され得る。ストークスベクトルは、光の偏光を数学的に取り扱うために１８５２年にＳｔｏｋｅｓによって開発された式であって、直接測定されることができる。
【００３１】
アンル効果は、磁場の存在下、散乱共鳴線放射の線形偏光を修正する。主要プラズマイオンまたは不純物イオンからの線放射は、アンル効果のための遷移条件を満たす限り、測定のために使用されてもよい。
【００３２】
ＦＲＣプラズマでは、異なる元素の電荷状態は、電子温度（Ｔｅ）および密度（ｎｅ）半径方向プロファイルへのその依存性に起因して、異なる半径方向プロファイルを有する。電荷状態は、ヌルまたはその近傍の低場領域内に存在するように選択される必要があり、これは、典型的には、高Ｔｅおよびｎｅ領域内にある。加えて、準位の選択は、蛍光線が、外部光源、典型的には、レーザを使用して励起され得るようなものであるべきである。
【００３３】
既知の不純物が、レーザを用いた蛍光として励起され得るアンル線を提供するために、プラズマに添加されてもよい。不純物の追加はまた、レーザが利用可能な線を選定するためのオプションを提供し得る。これの実施例は、ネオンまたはヘリウム−ネオン混合物の注入であって、これは、市販のＨｅ−Ｎｅレーザで励起され得る、準位を提供する。
【００３４】
ＦＲＣプラズマの具体的用途に関して、軸方向磁場およびヌル場所の位置を測定するために、外部放射（例えば、レーザ）が、プラズマを半径方向から照明する。散乱共鳴光信号が、半径方向または軸方向において、垂直ビューにおいて観察され得る。信号の観察される線形偏光は、入射光とヌル場所が交差する場所でのみピークとなり、ヌル場所の位置を提供するであろう。上記の実施例と同様に、偏光の割合は、磁場強度等を提供するであろう。
【００３５】
ＦＲＣプラズマでは、ヌル場所は、中心から離れており、故に、ＦＲＣからの光放射は、ヌルを非対称的に照明する。自己照明は、散乱共鳴信号をヌルの近傍に提供するために十分であって、故に、外部照明源の必要性を完全に排除し得る。本自己照明スキームを用いたピーク散乱共鳴偏光信号の撮像は、加えて、ヌル場の形状（または画像）、故に、動揺モードおよび回転不安定性についての情報を提供するであろう。半径方向ビューを使用して、ＦＲＣプラズマ長もまた、ＦＲＣプラズマの長さに沿った２つのＸ点カスプからの偏光信号の場所間の距離を測定することによって測定されることができる。
【００３６】
一実施例では、プラズマ原子から散乱された信号は、プラズマ上に入射する外部光の垂直方向に収集され得る。観察される散乱共鳴信号は、磁場の不在下では、完全に線形に偏光されるであろう。しかしながら、磁場の増加に伴って、偏光の割合は、減少し、より高い磁場において、完全に消失するであろう。磁場感度の範囲は、プラズマ原子の選択された線放射の放射率に依存するであろう。偏光の角度変化は、磁場の方向を提供するであろう。ピーク偏光の空間測定または撮像は、ゼロ磁場（ヌル）位置の場所およびその形状を提供するであろう。
【００３７】
磁場が典型的には低く、ヌル場が存在する、プラズマのコア領域では、電子温度は、高く、故に、水素中性子の存在は、通常、その低イオン化エネルギーに起因して、高電子温度の領域では不可能である。しかしながら、最近、高エネルギー中性子（水素）ビーム（例えば、第ＷＯ２０１３／０７４６６６号および第ＷＯ２０１５／０４８０９２号参照）の注入を伴う、高度ビーム駆動式ＦＲＣプラズマが、生成された。ＦＲＣプラズマ内に注入される中性子ビームは、高エネルギービーム中性子（７〜２０ｋｅＶ）だけではなく、また、プラズマイオンとの電荷交換に起因して、温暖温度（約０．５〜１ｋｅＶ）の水素中性子をプラズマのコア領域に提供する。これらの（温暖および高エネルギー）励起中性子からの放射は、アンル効果を測定するために使用され得る。
【００３８】
さらに、完全および部分的イオン化不純物との電荷交換プロセスはまた、典型的には、高温プラズマにおいて存在する機会が低いかまたは全く有しない電荷状態および遷移を提供する。実施例として、高出力レーザダイオードは、高温コア内で水素中性子から蛍光信号を励起させるために使用され得る、バルマーアルファ線（６５６．１ｎｍ）およびその近傍で利用可能である。加えて、変調された水素中性子ビームもまた、測定のさらなる制御および強化のために活用され得る。
【００３９】
電子衝突によって励起されることに起因して、レーザに加え、大量の背景アンル線信号もまた存在する場合、レーザ励起信号は、レーザビームをチョッピングまたは変調することによって、大量の背景から分離されることができる。レーザは、その指向性、低分散、狭スペクトル幅、および利用可能な高強度に起因して、照明源のための良好な選択肢である。多種多様な固定波長レーザおよび波長可変レーザが、市場において利用可能であるが、常時、レーザを所望の波長に有することが可能であるわけではない、または、経済的であるわけではない。故に、選択およびレーザ線およびアンル線は、同時に行われる必要がある。２つの光子蛍光もまた、アンル信号のために検討され得る。
【００４０】
高衝突を伴う場合、吸収および放出プロセスは、相関せず、これは、磁場の不在下でも、散乱光を脱偏光させ、アンル効果の量子干渉を破壊する。典型的ＦＲＣプラズマ（ｎｅ約１０１３ｃｍ−３；Ｔｅ約１００ｅＶを伴う）に関して、電子−イオン衝突周波数は、約１０５ｓ−１であって、これは、典型的放射率（またはアイシュタイン係数）Ａの約１０８ｓ−１より小さい規模であって、衝突に起因する脱偏光が無視され得ることを含意する。高密度プラズマに関して、アンル信号の衝突による広がりは、主に、低磁場の振幅を正確に測定するために考慮される必要があり得る。
【００４１】
図１Ａは、ＦＲＣ軸方向磁場（Ｂｚ）１００の軸方向ビューを図示する。図１Ｂは、ＦＲＣプラズマに関する理論的軸方向磁場（Ｂｚ）プロファイルを図示する。ＦＲＣプラズマでは、半径方向に沿って、磁場１００は、ＦＲＣプラズマ半径１０１としても知られる、最外殻磁気面（Ｒｓ）に近くで最高となる。軸方向磁場（Ｂｚ）１００は、ＦＲＣプラズマの内側で徐々に減少し、ヌル場所（Ｒ０）１０２において消失する。ヌル半径１０２の内側では、軸方向磁場１００の大きさは、ヌルの外側と比較して反対方向に増加し、ＦＲＣプラズマの中心でピークとなる。反対に指向される内側場線および外側場線は、いくつかの軸方向距離（Ｘ点と呼ばれる）において接続し、ＦＲＣプラズマ長を定義する。
【００４２】
図２は、外部から照明される光源を伴う、ＦＲＣ軸方向磁場（Ｂｚ）２００の軸方向ビューを図示する。例示的診断設定では、選択された波長の強光源２０１、例えば、レーザが、ＦＲＣ磁場内で半径方向に注入され、ヌル場所２０２、２０３を含む、半径方向に変動する軸方向磁場２００と交差する。共鳴線散乱光は、軸方向ビューで収集される。アンル効果に起因して、ヌル場所およびその近傍の線形に偏光される信号のみが、観察され、ヌル２０２、２０３の半径方向位置を提供するであろう。光照明および収集のこの単純な幾何学形状に関して、偏光度の方程式は、
【化１】
2019519892.tif 000003
として記述され得る。
式中、Ｈ＝ωｐ／Ａは、束縛電子のラーモア周波数と、アイシュタイン係数、すなわち、イオンの放射率との比である。偏光度の測定は、ラーモア周波数の値を提供し、これはまた、磁場の関数でもある。Ｈは、事実上、アイシュタインの放射係数に対する磁場の比に比例する。これは、低磁場の測定を可能にする。
【００４３】
図４は、場軸方向ＦＲＣプラズマに沿ったアンル効果に起因する、例示的偏光割合を図示する。図４では、図１Ｂに与えられるＦＲＣ軸方向磁場１００の半径に沿った偏光割合の変動が示される。偏光信号は、磁気ヌル場所においてのみピークとなる。これは、空間的に分解された測定のために、ヌル場の場所を提供することができる。図４では、偏光割合は、ＢＨ＝２０Ｇ  ４０１およびＢＨ＝１００Ｇ  ４０２に関して示される。
【００４４】
加えて、偏光の方向はまた、角度α＝０．５ｔａｎ−１（２Ｈ）だけゼロ場偏光に対して回転し、これは、磁場の方向を提供する。磁場の方向は、方程式（１）によって与えられるアンル信号が飽和する、高場においてさえ測定されることができる。これは、方法に一意の能力を提供し、反転磁場の存在が、測定場所における場強度に関係なく、それぞれが暫定的ヌル場所の両側にある２つの空間場所において測定を行うことによって確認されることができる。ＦＲＣ磁場では、機械の中心の近傍における測定および縁の近傍における他の測定は、反転磁場についての確認を提供することができる。
【００４５】
図３は、自己照明を用いた、ＦＲＣ軸方向磁場Ｂｚ３００の軸方向ビューを図示する。観察または信号収集ポートがＦＲＣ軸方向磁場３００の軸方向に沿ってある、軸方向ビューに関して、ＦＲＣ軸方向磁場３００は、図３に示されるように、円形構造と見なされ得る。
【００４６】
ＦＲＣ磁場の中心を除き全ての場所において円対称性を伴うＦＲＣ磁場は、異方性入射放射をＦＲＣプラズマ自体から受信する。これは、その方位角的に対称な分布に起因して、全ての不純物および主要イオン線放射に該当する。本非対称照明は、外部照明源を必要としないアンル効果の観察のために十分であり得る。さらに、ヌル上の２つの場所のみが外部源の使用を用いて観察可能である代わりに、偏光信号は、全ヌル場所円に沿ってピークとなり、偏光を方位角方向に伴うであろう。これは、全ヌル場所円の同時撮像、故に、内部磁気構造に基づくＦＲＣプラズマ中心場所および形状の直接測定の可能性を提供する。時変信号を用いることで、これは、ｎ＝１  動揺モードおよびｎ＝２  回転不安定性についての貴重な情報を提供するであろう。
【００４７】
光収集の軸方向幾何学形状に関して、偏光度の方程式は、上記の方程式（１）のように記述され得る。偏光度の測定は、ラーモア周波数の値を提供し、これはまた、磁場の関数でもある。Ｈは、事実上、アイシュタインの放射係数に対する磁場の比に比例する。これは、低磁場の測定を可能にする。図４は、図１Ｂに与えられるＦＲＣ軸方向磁場１００の半径に沿った偏光割合の変動を示す。偏光信号は、磁気ヌル場所においてのみピークとなる。これは、空間的に分解された測定のためのヌル場の場所を提供することができる。
【００４８】
加えて、偏光の方向もまた、角度α＝０．５ｔａｎ−１（２Ｈ）だけゼロ場偏光に対して回転し、これは、磁場の方向を提供する。磁場の方向は、方程式（１）によって与えられるアンル信号が飽和する、高場においてさえ測定されることができる。これは、方法に一意の能力を提供し、反転磁場の存在が、測定場所における場強度に関係なく、それぞれが暫定的ヌル場所の両側にある２つの空間場所において測定を行うことによって確認されることができる。ＦＲＣ磁場では、機械の中心の近傍における測定および縁の近傍における他の測定は、反転磁場についての確認を提供することができる。
【００４９】
図５は、外部照明を用いた、ＦＲＣ軸方向磁場Ｂｚ５００の例示的半径方向ビューを図示する。線形ＦＲＣプラズマ機械における軸方向ビューは、常時利用可能であるわけではない、または、少なくとも、容易に利用可能であるわけではない。多くの場合、診断のための好ましい（または唯一の）オプションは、半径方向ビューからの信号を観察することである。そのような状況（半径方向から入射する外部照明５０１、例えば、レーザを用いる）に関して、同一半径方向平面における入射放射方向と垂直な観察ビューが、図５に示されるように選定されてもよいも。本配列では、磁場は、散乱（または観察）平面と垂直に指向される。本診断幾何学形状に関して、方程式（１）の代わりに、分数線形偏光が、方程式
【化２】
2019519892.tif 000004
によって与えられる。
【００５０】
ここでは、偏光の変化の範囲は、軸方向ビュー観察例（方程式（１））と比較して、わずか３分の２である。しかしながら、線形偏光の方向における変化は、生じず、ゼロ場のヌル５０２、５０３の位置は、依然として、同様の良好な空間分解能を伴って見出されることができる。
【００５１】
図６は、自己照明を用いた、軸方向磁場Ｂｚ６００の例示的半径方向ビューを図示する。線形ＦＲＣプラズマ機械内の軸方向ビューは、常時利用可能であるわけではない、または、少なくとも、容易に利用可能であるわけではない。多くの時間、診断のための好ましい（または唯一の）オプションは、半径方向ビューから信号を観察することである。そのような状況に関して、半径方向平面における観察ビューが、選定され得る。本配列では、磁場は、散乱（または観察）平面と垂直に指向される。本ビューに関して、偏光の変化の範囲は、軸方向ビュー観察例（方程式（１））と比較して小さい。しかしながら、線形偏光の方向の変化は、生じず、信号は、依然として、場のヌル場所６０１、６０２においてピークとなる。ゼロ場のヌルの位置は、依然として、良好な空間分解能を伴って見出されることができる。
【００５２】
図７は、外部照明を用いた、例示的な半径方向ビューの例に関する例示的偏光信号プロファイルを示す。示されるのは、ＢＨ＝２０Ｇ  ７０１およびＢＨ＝１００Ｇ  ７０２に関する偏光割合および磁場７０３である。
【００５３】
光照明の所与の幾何学形状、散乱光収集、および磁場に関するアンル信号の理論的推定のために、アンルフェーズ行列が、計算される。フェーズ行列は、次いで、ストークスベクトルの推定のために使用されることができ、これは、ひいては、分数偏光、回転角度、および他のパラメータの理論的推定を提供する。実験上、偏光される光の種々の成分を測定し、成分を組み合わせることは、ストークスベクトルを提供することができ、これは、理論上の推測と比較し、磁場についての所望の情報を提供するために使用されることができる。典型的には、偏光の種々の成分は、複屈折結晶または偏光プレートを使用して収集される。
【００５４】
図８は、本開示の実施形態と併用するための例示的測定システム概略８００を図示する。図８に示されるように、ＤＣプラズマ８１０が、近位端電極８１０Ａおよび遠位端電極８０１Ｂを有し、長さ約２０インチである、プラズマ管８０１内に生成される。プラズマ８１０は、約２トルのネオンガスを使用して生成される。管８０１の一端（例えば、遠位端８０１Ｂ）の近くに位置する、ヘルムホルツコイル８０２Ａ、８０２Ｂが、磁場を矢印８０３によって示される方向に生成するために使用される。光信号が、ヘルムホルツコイル８０２Ａ、８０２Ｂ下に位置し、磁場を受ける、少量のプラズマ８１１から収集される。管内のプラズマ８１０の残りは、ヘルムホルツコイル８０２Ａ、８０２Ｂ下のプラズマ８１１を照明するための源としての役割を果たす。アンル効果を示す、ネオンからの複数の線が、利用可能であるが、モノクロメータ８０７が、測定のために、６２６．６ｎｍ線を分離するために使用される。６２６．６ｎｍ線は、直接、プラズマから放出し（電子励起に起因して）、また、共鳴散乱に起因して、アンル信号を有する。同一波長光を散乱させると、アンル信号が、直接プラズマからの大量の背景とともに、アンル検出を困難にする。信号分離が、回転偏光器８０９と結合されるフェーズロック増幅器８０６を使用することによって、達成される。プラズマ８１１からの光は、モノクロメータ８０７に進入する前に、回転偏光器８０９を通して通過する。モノクロメータ８０７は、ストークスベクトル、すなわち、偏光の成分を測定する。フェーズロック増幅器８０６からの信号は、さらなる分析およびプロットのためにデジタル化される。ここで使用されるハードウェアの集合は、分光偏光計８０４として効果的に作業し、これは、偏光成分、すなわち、スペクトル的に分解された線のストークスベクトルを提供することができる。要件に応じて分光偏光計８０４を作製するために、複数の方法が存在する。分光偏光計８０４はまた、ＰＭＴモジュール８０８と、プログラム機能発生器８０５とを備える。
【００５５】
図９は、本開示の実施形態による、磁場の変化に伴う、測定および理論的ストークスベクトル信号（ＱおよびＵ）の比較を図示する。実施形態では、別個の照明源（例えば、レーザ）が、調査におけるプラズマの一部を照明するために使用されない。管自体の長さに沿ってプラズマによって放出される光が、ヘルムホルツコイル下のプラズマの一部を照明し、そこから信号が、収集される。故に、場方向に対する管の幾何学形状（または長さ）は、照明の方向を提供する。図９は、磁場が、視認方向に沿って、そして照明方向（または管の長さ）と垂直に整列される、磁場の場合に関して、信号Ｉの強度に正規化された、２つのストークスパラメータＱおよびＵを示す。磁場は、正の方向から負の方向に変動され、信号を収集する。図９はまた、実験曲線にプロットされた理論的データを示し、両方の間に良好な一致を示す。図から分かるように、ベクトル成分Ｑがピークになり、ベクトルＵがゼロ磁場においてゼロになり、故に、ＦＲＣ磁場内の場のヌルの場所についての情報を提供する能力を示す。低場、例えば、２０ガウス以下に関して、場強度もまた、これらのベクトルを使用して推定されることができる。磁場の方向に関するベクトルＵの非対称性は、磁場の方向の測定を可能にする。ベクトルＵおよびＱの比は、偏光角度の変化を提供し、これは、ひいては、磁場の方向を提供する。
【００５６】
小方位角磁場（Ｂθ）が、ＦＲＣ磁場内に存在し得る。本方位角場の知識もまた、非常に望ましい。上記に説明される方法は、磁場の３次元ベクトル成分を提供するように拡張されることができる。これは、（ｉ）同量のプラズマのために、複数の近直交ビューを使用することによって、または（ｉｉ）異なる感度（例えば、Ｈ約１およびＨ＞＞１）を伴う、２つ以上の共鳴放射線を使用することによって、達成されてもよい。複数のビューを使用する前者の方法は、融合スケールプラズマデバイスにおける適切なビューのアクセス可能性の欠如に起因して、事実上、困難である。後者の方法は、幾分複雑な理論的処理に加え、複数のアンル線を見出すことを要求する。しかしながら、理論的問題は、照明光の偏光が制御され得る場合、簡略化される。そのような技法は、ＦＲＣプラズマ内に同時に軸方向磁場および方位角磁場の両方の測定を提供することができる。
【００５７】
実施形態では、高温ＦＲＣプラズマのための器具類は、高温ＦＲＣプラズマのための以下の測定を提供するための器具を備える。
−反転磁場の存在の証明およびその時間発展
−場のヌルの半径方向の場所およびその時間発展
−正味磁場のベクトル場方向の空間プロファイルおよびその時間発展
【００５８】
これらの測定のそれぞれおよびその他は、本明細書に説明されるシステムおよび方法によって達成されることができる。図１０および１１は、分光偏光計の設計およびＦＲＣプラズマデバイス上のその意図される実装を図示する。
【００５９】
図１０は、本開示の外部照明実施形態による、分光偏光計を備える、システムを図示する。高速撮像ＣＣＤカメラを伴う分光計が、分光偏光計を作製するように修正される。通常通り、波長が、ＣＣＤの水平軸方向に沿って撮像される。スペクトルスパンは、ベクトル場測定のために同時に測定される必要がある、複数の波長を組み込むために十分に広い。場のヌルを含む、プラズマの半径方向の範囲が、ＣＣＤの垂直方向に沿って撮像される。垂直方向における光はさらに、複屈折結晶または類似性質の材料／構成要素を使用して、直交偏光に分裂される。
【００６０】
異なる偏光を有しており、相互から小距離だけ分離されており、それ以外は同一波長および他の性質である、３つのレーザビームが、ＦＲＣプラズマ内に半径方向に、例えば、側面から、注入される。分光偏光計はまた、これらの３つのレーザビームを撮像するための３つのスリットを有してもよい。各スリットおよびレーザの組み合わせは、他の２つによって分離される、その独自のスペクトル線を提供するであろう。注入されるレーザビームは、２つの場所において、ＦＲＣ磁場内のヌル場所と交差する。半径方向に沿ったこれらのビームの経路は、要求される空間分解能を伴って、ＣＣＤの垂直方向において撮像される。分光偏光計は、半径方向に沿って、１Ｄ空間分解能を伴って、３つの入力偏光、すなわち、２つの直交偏光および３つ以上のスペクトル線の組み合わせを提供する。高速フレームカメラは、要求される時間分解能を伴って、測定を提供する。
【００６１】
ヌル場所に加え、磁場がＦＲＣプラズマ内で消失する別の点は、軸方向に沿ったＦＲＣの縁の近傍のＸ点である。Ｘ点間の距離は、ＦＲＣの長さを定義する。本明細書に提示される方法は、Ｘ点場所およびＦＲＣの長さを測定する。ＦＲＣでは、長さは、時間に伴って短縮し得る。これは、半径方向に注入され、Ｘ点を照明するために固定軸方向場所に位置する、単一レーザビームの使用を困難にする。実施形態では、レーザビームは、両Ｘ点を同時に照明し、ＦＲＣ磁場の短縮の間、照明され続け得るように、軸方向に注入される。照明のための代替アプローチは、半径方向に注入される複数のレーザまたはレーザのシートの使用を含んでもよい。いずれの場合も、注入されるレーザと垂直であって、上記に説明される半径方向ビューに類似する、半径方向ビューが、信号を収集するために使用されることができる。
【００６２】
図１１は、本開示の自己照明実施形態による、分光偏光計を備える、システムを図示する。高速撮像ＣＣＤカメラを伴う分光計が、分光偏光計を作製するように修正される。通常通り、波長が、ＣＣＤの水平軸方向に沿って撮像される。スペクトルスパンは、ベクトル場測定のために同時に測定される必要がある、複数の波長を組み込むために十分に広い。場のヌルを含む、プラズマの半径方向の範囲が、ＣＣＤの垂直方向に沿って撮像される。垂直方向における光はさらに、複屈折結晶または類似性質材料／構成要素を使用して、直交偏光に分裂される。器具は、半径方向に沿って、１Ｄ空間分解能を伴って、２つの直交偏光および複数のスペクトル線の組み合わせを提供することができる。高速フレームカメラは、要求される時間分解能を伴って、測定を提供することができる。信号は、ＦＲＣ磁場の軸方向ビューまたは半径方向ビューを用いて収集されることができる。分光計スリットは、信号を収集するための適切な場所および方向において、プラズマ上で撮像される必要がある。軸方向ビューに関して、スリット１１０１は、半径方向に沿って整列され、ヌルの全ての可能性として考えられる場所をカバーするであろう。半径方向ビューに関しても、スリット１１０２はまた、半径方向に沿って整列されるであろう。
【００６３】
ヌル場所に加え、磁場がＦＲＣプラズマ内で消失する別の点は、軸方向に沿ったＦＲＣの縁の近傍のＸ点である。Ｘ点間の距離は、ＦＲＣプラズマの長さを定義する。本発明に提示される方法はまた、Ｘ点場所およびＦＲＣプラズマの長さを測定する使用されることができる。半径方向ビューは、Ｘ点を観察するための最も単純な幾何学形状を提供する。本明細書に説明されるものに類似する、分光偏光計が、使用されてもよい。１Ｄの空間的に分解された方向（すなわち、スリットビュー１１０３の長さ）は、Ｘ点領域を含む、ＦＲＣプラズマの軸方向に向かって整列されるべきである。ＦＲＣプラズマ長さが、時間に伴って短縮するにつれて、Ｘ点は、ＦＲＣプラズマ中央平面に向かって移動するであろう。１つの分光偏光計が、１つのＸ点の場所を測定することを可能にし、故に、２つの同時測定が、２つのＸ点間の距離、故に、ＦＲＣプラズマの長さを測定するために必要とされる。
【００６４】
本明細書に提供されるシステムおよび方法は、ＦＲＣプラズマのリアルタイムフィードバック制御のための入力を提供する。本明細書におけるシステムおよび方法は、ＦＲＣプラズマの半径方向位置および軸方向位置をリアルタイムで提供し、これは、直接、フィードバック制御のために使用されることができる。例えば、前述の構成と併用される、高速フレームカメラは、ある弦上の、例えば、直径に沿った２つの点における磁気的なヌルの場所を提供することができる。単純な代数を用いることで、本情報は、コンピュータまたはさらにアナログ信号処理もしくはデジタル信号処理を使用して、ＦＲＣプラズマの半径および中心をリアルタイムで規定するために使用されることができる。（例えば、これらのヌルの中心は、プラズマの中心を規定するであろう。）本リアルタイム情報は、フィードバック制御システムに提供され、外部から印加される磁場を制御することによって、その半径方向の場所およびサイズを制御することができる。Ｘ点またはＦＲＣプラズマの長さの測定が、利用可能である場合、これらはまた、フィードバックシステムに提供され、ＦＲＣプラズマの軸方向場所を制御することができる。
【００６５】
ストークスベクトルＱ、Ｕ、およびＶは、直接、フィードバックシステムにフィードされてもよい。これは、反転磁場の存在、場のヌルの場所、およびさらにＦＲＣプラズマ内の磁場の方向または成分に基づいて、自動化された制御決定を行う能力を提供し得る。
【００６６】
プラズマベースの融合反応器では、動作および安全性のために、プラズマの基本測定および制御を有することが重要である。本明細書に説明されるシステムおよび方法は、磁気構成および位置の非摂動測定を提供し、ＦＲＣプラズマベースの融合反応器内の能動的制御のために使用されることができる。
【００６７】
本開示の実施形態は、第１の複数のレーザビームをＦＲＣプラズマの中に半径方向に注入することであって、レーザビームはそれぞれ、異なる偏光を有する、ことと、２つの場所において、ＦＲＣプラズマのＦＲＣ磁場内のヌル場所と交差させることと、第１の複数のレーザビームの経路をＣＣＤの垂直方向において撮像することと、複屈折結晶を使用して、直交偏光にさらに分裂されるように垂直方向における光を分裂させることと、ＦＲＣ磁場のヌル場所を測定することとを含む、高温プラズマ内の磁場を測定する非摂動方法を対象とする。
【００６８】
実施形態では、本方法はさらに、レーザビームをＦＲＣ磁場の中に軸方向に注入することと、ＦＲＣ磁場の２つのＸ点のそれぞれを照明することと、２つのＸ点間の距離を測定し、ＦＲＣ磁場の長さを生み出すこととを含む。
【００６９】
実施形態では、本方法はさらに、第２の複数のレーザをＦＲＣ磁場の中に半径方向に注入することと、ＦＲＣ磁場の２つのＸ点のそれぞれを照明することと、２つのＸ点間の距離を測定し、ＦＲＣ磁場の長さを生み出すこととを含む。
【００７０】
実施形態では、本方法はさらに、ＦＲＣ磁場のヌル場所の場所をＦＲＣプラズマの直径に沿った２つの点に提供することと、ヌル場所の場所を使用して、ＦＲＣプラズマの半径および中心を計算することと、半径および中心をフィードバック制御システムに提供することとを含む。
【００７１】
いくつかの実施形態では、フィードバック制御システムは、外部から印加される磁場を制御することによって、ＦＲＣプラズマの半径方向の場所およびサイズを制御する。
【００７２】
本開示の実施形態はまた、ＣＣＤの水平軸方向に沿ってＦＲＣプラズマの波長を撮像することと、ＣＣＤの垂直軸方向に沿ってＦＲＣプラズマの半径方向の範囲を撮像することと、複屈折結晶を使用して、垂直方向における光を直交偏光に分裂させることと、ＦＲＣプラズマのＦＲＣ磁場のヌル場所を測定することとを含む、高温プラズマ内の磁場を測定する非摂動方法を対象とする。
【００７３】
実施形態では、本方法はさらに、第１の分光偏光計のスリットをＦＲＣプラズマの軸方向に向かって整列させることと、ＦＲＣ磁場の第１のＸ点の場所を測定することとを含む。
【００７４】
実施形態では、本方法はさらに、同時に、第２の分光偏光計のスリットをＦＲＣプラズマの軸方向に向かって整列させることと、ＦＲＣ磁場の第２のＸ点の場所を測定することと、第１のＸ点と第２のＸ点との間の距離を測定し、ＦＲＣ磁場の長さを生み出すこととを含む。
【００７５】
実施形態では、本方法はさらに、ＦＲＣ磁場のヌル場所の場所をＦＲＣプラズマの直径に沿った２つの点に提供することと、ヌル場所の場所を使用して、ＦＲＣプラズマの半径および中心を計算することと、半径および中心をフィードバック制御システムに提供することとを含む。
【００７６】
実施形態では、フィードバック制御システムは、外部から印加される磁場を制御することによって、ＦＲＣプラズマの半径方向の場所およびサイズを制御する。
【００７７】
本開示の実施形態は、分光計と、高速撮像ＣＣＤカメラと、３つのレーザビームと、複屈折結晶とを備える、高温プラズマ内の磁場の非摂動測定のための分光偏光計を対象とする。
【００７８】
実施形態では、３つのレーザビームは、異なる偏光、類似波長を有し、相互から小距離だけ分離される。
【００７９】
実施形態では、分光偏光計はさらに、３つのレーザビームを撮像するための３つのスリットを備える。
【００８０】
実施形態では、分光偏光計は、３つのレーザビームをＦＲＣプラズマの中に半径方向に注入し、２つの場所において、ＦＲＣプラズマのＦＲＣ磁場内のヌル場所と交差させることと、第１の複数のレーザビームの経路をＣＣＤの垂直方向において撮像することと、複屈折結晶を使用して、直交偏光にさらに分裂されるように垂直方向における光を分裂させることと、ＣＣＤを使用して、ＦＲＣ磁場のヌル場所を測定することとを行うように構成される。
【００８１】
実施形態では、分光偏光計はさらに、レーザビームをＦＲＣ磁場の中に軸方向に注入することと、ＦＲＣ磁場の２つのＸ点のそれぞれを照明することと、２つのＸ点間の距離を測定し、ＦＲＣ磁場の長さを生み出すこととを行うように構成される。
【００８２】
実施形態では、分光偏光計はさらに、第２の複数のレーザをＦＲＣ磁場の中に半径方向に注入することと、ＦＲＣ磁場の２つのＸ点のそれぞれを照明することと、２つのＸ点間の距離を測定し、ＦＲＣ磁場の長さを生み出すこととを行うように構成される。
【００８３】
実施形態では、分光偏光計は、ＣＣＤの水平軸方向に沿って、ＦＲＣプラズマの波長を撮像することと、ＣＣＤの垂直軸方向に沿って、ＦＲＣプラズマの半径方向の範囲を撮像することと、複屈折結晶を使用して、垂直方向における光を直交偏光に分裂させることと、ＣＣＤを使用して、ＦＲＣプラズマのＦＲＣ磁場のヌル場所を測定することとを行うように構成される。
【００８４】
実施形態では、分光偏光計はさらに、ＦＲＣ磁場のヌル場所の場所をＦＲＣプラズマの直径に沿った２つの点に提供することと、ヌル場所の場所を使用して、ＦＲＣプラズマの半径および中心を計算することと、半径および中心をフィードバック制御システムに提供することとを行うように構成される。
【００８５】
実施形態では、フィードバック制御システムは、外部から印加される磁場を制御することによって、ＦＲＣプラズマの半径方向の場所およびサイズを制御する。
【００８６】
本開示の実施形態は、高温プラズマ内の磁場の非摂動測定のためのシステムを対象とし、システムは、第１の分光偏光計および第２の分光偏光計を備え、第１の分光偏光計は、第１の分光偏光計のスリットをＦＲＣプラズマの軸方向に向かって整列させることと、ＦＲＣ磁場の第１のＸ点の場所を測定することとを行うように構成され、第２の分光偏光計は、同時に、第２の分光偏光計のスリットをＦＲＣプラズマの軸方向に向かって整列させることと、ＦＲＣ磁場の第２のＸ点の場所を測定することと、第１のＸ点と第２のＸ点との間の距離を測定し、ＦＲＣ磁場の長さを生み出すこととを行うように構成される。
【００８７】
本明細書に提供される任意の実施形態に関して説明される全ての特徴、要素、構成要素、機能、およびステップは、任意の他の実施形態からのものと自由に組み合わせ可能かつ代用可能であることを意図している。ある特徴、要素、構成要素、機能、またはステップが、一実施形態のみに関して説明される場合、特徴、要素、構成要素、機能、またはステップは、別様に明示的に記述されない限り、本明細書に説明される全ての他の実施形態とともに使用され得ることを理解されたい。本段落は、したがって、常に、異なる実施形態からの特徴、要素、構成要素、機能、およびステップを組み合わせる、または、一実施形態からの特徴、要素、構成要素、機能、およびステップを別のもので代用する、請求項の導入の先行する基礎および書面による支援としての役割を果たし、仮に以下の説明が、特定の事例において、そのような組み合わせまたは代用が可能であることを明示的に記述しなくても、そのような役割を果たす。特に、本説明を読んだ当業者が、ありとあらゆるそのような組み合わせおよび代用の許容性が容易に認識されるであろうことを考えれば、可能性として考えられる全ての組み合わせおよび代用を明示的に記載することは、過度の負担である。
【００８８】
多くの事例では、エンティティは、他のエンティティに結合されるように本明細書に説明される。用語「結合される」および「接続される」またはその形態のうちの任意のものは、本明細書では同義的に使用され、両場合において、２つのエンティティの直接結合（任意の無視不可能である（例えば、寄生）介在エンティティを伴わない）および２つのエンティティの間接結合（１つ以上の無視不可能である介在エンティティを伴う）に対して包括的であることを理解されたい。エンティティが、ともに直接結合されるように示される、または任意の介在エンティティの説明を伴わずに、ともに結合されるように説明される場合、それらのエンティティは、文脈によって明確に別様に示されない限り、同様に、ともに間接的に結合されることができることを理解されたい。
【００８９】
実施形態は、種々の修正および代替形態を被るが、その具体的実施例が、図面に示され、本明細書に詳細に説明されている。しかしながら、これらの実施形態は、開示される特定の形態に限定されるものではなく、対照的に、これらの実施形態は、本開示の精神内にある全ての修正、均等物、および代替案を網羅するものであることを理解されたい。さらに、実施形態の任意の特徴、機能、ステップ、または要素、ならびにその範囲内にない特徴、機能、ステップ、または要素によって請求項の範囲を定義する否定的限定が、請求項に記載または追加されてもよい。
【図１Ａ】
2019519892.tif 000005
【図１Ｂ】
2019519892.tif 000006
【図２】
2019519892.tif 000007
【図３】
2019519892.tif 000008
【図４】
2019519892.tif 000009
【図５】
2019519892.tif 000010
【図６】
2019519892.tif 000011
【図７】
2019519892.tif 000012
【図８】
2019519892.tif 000013
【図９】
2019519892.tif 000014
【図１０】
2019519892.tif 000015
【図１１】
2019519892.tif 000016
【国際調査報告】
2019519892.tif 000017